(57)【特許請求の範囲】
【請求項１】
床面に載置し足で操作して上向きに噴霧する噴射容器であって、
内容物を充填した吐出容器と、この吐出容器に取り付けられる噴射部材とを備え、
前記噴射部材が、前記吐出容器に装着されるカバー部と、前記内容物の噴射を行う操作ペダルと、噴射ノズルとを有し、
前記吐出容器が、１つの円筒状のエアゾール容器であり、
前記カバー部が、前記操作ペダルの操作によって生じる水平分力の方向に、前記吐出容器より外方に突出して、仮想の側平面を形成する又は側平面からなる、吐出容器を床面に置いた状態で壁面に当接する当接手段を備えており、
前記噴射ノズルが噴射方向を制限する制御手段を備えており、この制御手段が、前記側平面と略平行に設けられた細長の噴霧用の噴射孔であることを特徴とする噴射容器。
【請求項２】
前記当接手段が、カバー部の側面に形成された側平面部である請求項１記載の噴射容器。
【請求項３】
前記当接手段が、吐出容器より外方に突出した少なくとも２つの突起で形成される請求項１記載の噴射容器。
【請求項４】
請求項１〜３のいずれかに記載の噴射容器を、
床面に載置し、かつ前記カバー部の当接手段を壁面に当接させた状態で、平面視、前記操作ペダルの操作によって生じる水平分力を示す仮想線が、前記当接手段と壁面との当接面上又は当接点間に位置するようにして設置することを特徴とする噴射容器の設置方法。
【発明の詳細な説明】
【技術分野】
【０００１】
この発明は、主に床面に配置して操作する噴射容器に関する。さらに詳しくは、部屋の壁面に沿って配置する噴射容器に関する。
【背景技術】
【０００２】
特許文献１、２には、床面に設置するエアゾール製品が開示されている。このような製品は、製品の上方に操作ペダルを備えており、足による操作（操作ペダルの踏み込み）で内容物の噴射が行えるようになっている。
【先行技術文献】
【特許文献】
【０００３】
【特許文献１】特開２００２−１４３７３３号公報
【特許文献２】特許第４３０１６５２号公報
【発明の概要】
【発明が解決しようとする課題】
【０００４】
ところで、上記構成のエアゾール製品を操作する場合、別途、手等で支えながら操作ペダルを踏み込むといったことは通常なされない。そのため、操作ペダルを踏み込む際に製品が動いてしまったり、倒れてしまったりということがある。
【０００５】
そこで、上記特許文献１、２では、製品の重心を低くしたり、操作ペダルの張り出し長さを短くすることで、踏み込みによる製品の移動や転倒を抑制しようとしている。
【０００６】
ところが、足での操作は不慣れなことが多く、これだけで上記問題を完全に解決することは困難である。例えば、移動や転倒の原因である偏心を抑えるために、操作ペダルを真上から踏み込もうとすると、片足立ちになってしまうことから、力が入りすぎたり、本来踏むべき箇所からずれたところを踏んでしまったりと、かえって製品の移動や転倒を招く虞がある。また、操作の安定性を重視し、かかとを床面に付けた状態で操作することも考えられるが、この場合、前方に押し出すようにして踏み込むことになるため、踏み込みに合わせて製品が前方に動いてしまう可能性が高い。
【０００７】
また、床面に設置するエアゾール製品は、一般に、部屋の中心に設置した状態で内容物を部屋全体に到達させるべく、内容物を勢い良く広範囲に噴射するよう設計されている。そのため、このような製品を壁面に近づけすぎると、噴射された内容物が壁面に衝突して跳ね返ってしまう。壁面への衝突を避けるため、噴射の勢いを弱めると、今度は内容物の効能、効果を十分発揮させることが困難となってしまう。
【０００８】
そこで、この発明は、上記課題を解決するためになされたものであって、移動や転倒を気にすることなく操作可能で、且つ内容物の効能、効果を十分に発揮させることのできる噴射装置を提供することを目的とする。
【課題を解決するための手段】
【０００９】
上記課題を解決するため、本願の噴射容器１、１Ａ、１Ｂは、内容物６を充填した吐出容器２と、この吐出容器２に取り付けられる噴射部材７とを備え、前記噴射部材７が、前記吐出容器２に装着されるカバー部８と、前記内容物６の噴射を行う操作部９、９Ａとを有し、前記カバー部８が、前記操作部９、９Ａの操作によって生じる水平分力の方向に、前記吐出容器２より外方に突出して、仮想又は現実の側平面を形成する当接手段を備えて
いることを特徴としている。当接手段は、具体的には、カバー部８の側面に形成された側平面部８ｃであるか、または、吐出容器２より外方に突出した少なくとも２つの突起８ｅ、８ｅで形成されている。なお、本願における「仮想の側平面」とは、複数の突起８ｅの頂点を結ぶ仮想線によって構成されるものである。突起８ｅが２つの場合には、頂点を結ぶ仮想線のみが形成されるが、噴射容器１、１Ａ、１Ｂは床面等に載置された状態で使用されるため、仮想線を軸とする回転は生じず、仮想線を通る面は実質的に１面に限定されることから、この仮想線をもって「仮想の側平面を形成する」としている。
【００１０】
また、上記噴射部材７は噴射ノズル１０、１０Ａを有し、この噴射ノズル１０、１０Ａが噴射方向を制限する制御手段１０ｄを備えていることが好ましい。
【００１１】
さらに、上記制御手段１０ｄが、上記当接手段と略平行に設けられた細長の噴射孔であることが好ましい。なお、当接手段が２以上の突起８ｅから構成されている場合の「略平行」とは、２個の突起８ｅ、８ｅ同士を結ぶ仮想線Ｊと略平行であること、または３個以上の突起８ｅ・・同士を結ぶことで形成される仮想面と略平行であることを指す。
【００１２】
本願の噴射容器１、１Ａの設置方法は、内容物６を充填した吐出容器２と、この吐出容器２に取り付けられる噴射部材７とを備え、前記噴射部材７が、前記吐出容器２に装着されるカバー部８と、操作により、前記内容物６の噴射を行う操作部９、９Ａとを有する噴射容器１、１Ａを、前記カバー部８の、前記吐出容器２より外方に突出させた部分からなる当接手段を壁面Ｗに当接させた状態で、平面視、前記操作部９の操作によって生じる水平分力を示す仮想線Ｉが、前記当接手段と壁面Ｗとの当接面上又は当接点Ｐ１、Ｐ２間に位置するようにして設置することを特徴としている。
【発明の効果】
【００１３】
この発明の噴射容器では、カバー部が、仮想又は現実の側平面を形成する当接手段を備えているため、当該当接手段を部屋の壁面に当接させるようにして噴射容器を設置すれば、足で操作する場合であっても、噴射容器の移動や転倒を抑制することができる。また、壁面から噴射ノズルまでの距離が常に一定に保たれることから、壁面に近づけすぎてしまうといったことはなく、内容物の効能、効果を十分に発揮させることができる。
【００１４】
また、噴射ノズルの噴射方向を制限する制御手段を備えていれば、内容物を噴射したい対象に向けて噴射することができるため、例えば、勢い良く内容物の噴射を行いながらも、部屋の壁面への内容物の衝突を避けることができるようになる。また、内容物によっては、壁面に付着させたいこともあるが、このような場合でも、壁面に対して効率良く内容物を付着させることができる。そのため、いずれの場合も、内容物の効能、効果を得やすくなる。
【００１５】
また、制御手段が、当接手段と略平行に設けられた細長の噴射孔であれば、内容物を壁面に沿って広く噴射させ易く、また内容物が使用者にかかるのを抑制することができる。
【００１６】
この発明の噴射容器の設置方法では、常に安定した設置が可能であり、足で操作する場合であっても噴射容器の移動や転倒を抑制することができる。
【図面の簡単な説明】
【００１７】
【図１】本発明の噴射容器を示す斜視図である。
【図２】図１に示す噴射容器の側面図である。
【図３】図１に示す噴射容器の平面図であり、（ａ）は全体を、（ｂ）は噴射ノズルの上端部を示す。
【図４】図１に示す噴射容器の噴射ノズルの上端部近傍を示す断面図である。
【図５】本発明の異なる実施形態の噴射容器を示す斜視図である。
【図６】図５に示す噴射容器の側面図である。
【図７】図５に示す噴射容器の平面図であり、（ａ）は全体を、（ｂ）は噴射ノズルの上端部を示す。
【図８】本発明のさらに異なる実施形態の噴射容器を示す平面図である。
【発明を実施するための形態】
【００１８】
次に、この発明の噴射容器１について図面に基づいて詳細に説明する。図１から図３に示す噴射容器１は、吐出容器２と、この吐出容器２に取り付けられる噴射部材７とを備えている。
【００１９】
吐出容器２は、この実施形態ではエアゾール容器であり、図２に示すように容器本体３と、その容器本体３の上端に取り付けられたエアゾールバルブ４とから構成されている。エアゾールバルブ４は、円盤状のマウンティングカップ５と、その中央部に取り付けられたバルブハウジング５ａとを有しており、有底円筒形の容器本体３の上端に被せた状態で、容器本体３のビード部の内周下面にクリンチして固定されている。なお、吐出容器２は、金属製、合成樹脂製のいずれも採用しうるが、図２では金属製の吐出容器２を示している。
【００２０】
図２の５ｂはステムを示している。このステム５ｂは、上下方向に開口しており、その下部がバルブハウジング５ａ内に上下移動自在に収容され、図示しないスプリングで常時上向きに付勢されている。エアゾールバルブ４は、ステム５ｂを押下げるとバルブ（ステム孔）が開き、押下げる力を弱めるとステム５ｂが上昇してバルブ（ステム孔）が閉じる公知のものである。
【００２１】
容器本体３内には、噴射するための内容物６、たとえば消臭剤、芳香剤、殺虫剤、防虫剤、殺菌剤などの空間用噴霧剤等が、液化石油ガス、ジメチルエーテル、ハイドロフルオロオレフィンおよびこれらの混合物などの液化ガス、窒素、亜酸化窒素、炭酸ガス、圧縮空気およびこれらの混合物などの圧縮ガス、液化ガスと圧縮ガスの混合物などのプロペラント（加圧剤）と共に充填されている。
【００２２】
噴射部材７は、図１から図３に示すように、カバー部８と、このカバー部８に取り付けられる操作部（操作ペダル）９と、噴射ノズル１０とから構成されている。
【００２３】
カバー部８は、例えば合成樹脂製で、吐出容器２の上部に嵌着されるものであり、図１及び図２に示すように、上底部８ａと、上底部８ａの外周から下方に向かって延設された側壁部８ｂとから構成されている。上底部８ａは、図３ａに示すように、平面視、台形の上辺（図において右側）を円弧とした形状とされている。そして、側壁部８ｂのうち、台形の下辺に相当する位置に設けられた部分が、部屋の壁面Ｗに当接させるための当接手段（側平面部８ｃ）となっている。この側平面部８ｃは、平面視、吐出容器２よりも外方に突出して設けられている。また、詳しくは後述するが、操作ペダル９の操作部分９ｂを押し込む（蹴る）ことで生じる水平分力の方向（前側）に突出して設けられている。さらに、この水平分力を示す仮想線Ｉや操作ペダル９の中心線Ｃと略直交して設けられている。なお、カバー部８の上底部８ａの中央部近傍から円弧にかけて切欠（孔）８ｄが設けられており、この切欠８ｄに操作ペダル９が取り付けられている。
【００２４】
操作ペダル９は、例えば合成樹脂製であって、側面視略Ｌ字状に形成されている。操作ペダル９の前側の端部（図２及び図３において左端部）は、側平面部８ｃと略平行な支持軸９ａを介してカバー部８に回動可能に軸支されている。また、後側（図２及び図３において右端部側）の、吐出容器２の側面に沿うようにして下方に延設されている操作部分９
ｂは、操作ペダル９を操作する際に使用する部分であり、外表面には、滑り止めとして複数の突起９ｃが設けられている。なお、操作部分９ｂの下端からフランジ片を突出させ、操作し易くしても良い（図２に示す一点鎖線）。また、操作ペダル９には、噴射ノズル１０を挿通するための孔部９ｄが設けられている。
【００２５】
噴射ノズル１０は、図２に示すように、その下端部が吐出容器２のステム５ｂに装着され、上端部が操作ペダル９の孔部９ｄを通じて外部上方に突出している。この上端部には、図３ｂや図４に示すように、溝部１０ａが設けられ、この溝部１０ａの底面１０ｂに噴孔１０ｃが設けられている。なお、この状態は、細長の噴射孔が上方に向かって形成されているともいえる。そして、「細長の噴射孔」を構成する溝部１０ａの側壁１０ｄ、１０ｄが、内容物６の噴射方向を制限する制御手段として機能する結果、噴孔１０ｃから噴射された内容物６は、溝部１０ａの側壁１０ｄ、１０ｄに沿って面状に飛散することとなる。なお、溝部１０ａの側壁１０ｄは、平面から見た場合、側面から見た場合のいずれも、カバー部８の側平面部８ｃと略平行に設けられている。そのため、噴孔１０ｃから噴射された内容物６は、側壁１０ｄに沿って、平面から見た場合、側面から見た場合のいずれも、側平面部８ｃと略平行に飛散することとなる。しかし、内容物６に応じて、内容物６を前傾噴射（側平面部８ｃ側に噴射）または後傾噴射（側平面部８ｃと反対側に噴射）させても良い。前傾噴射の場合は、前方に位置する壁面Ｗやカーテン等の対象物に内容物６を付着させることができる。後傾噴射の場合は、内容物６を空間に広く拡散させることができる。なお、傾けて噴射するには、例えば側壁部１０ｄを傾けるか、噴射ノズル１０全体を傾けることで達成できる。
【００２６】
また、噴射ノズル１０の軸方向略中央部には、図２に示すように、側方に向かって延出する突出片１０ｅが設けられている。そして、この突出片１０ｅが操作ペダル９の下面側に干渉し、操作ペダル９の他方端部を持ち上げた状態で保持している。なお、噴射ノズル１０の突出片１０ｅと操作ペダル９の下面とは互いに独立しており（固着されておらず）、操作ペダル９が回動しても噴射ノズル１０がそれに追随して傾くといったことはない。
【００２７】
以上に、各構成部品の説明をしたが、ここで、各構成部品の位置関係を整理すると、図２や図３ａに示すように、側平面部８ｃが最も前側（図において左側）に位置しており、カバー部８の中央部近傍に噴射ノズル１０が位置し、噴射ノズル１０を介して側平面部８ｃの反対側（後側：図において右側）に、操作ペダル９の操作部分９ｂが位置している。また、側平面部８ｃ、噴射ノズル１０、操作ペダル９は一直線上に並んで配置されている。
【００２８】
上記構成の噴射容器１から内容物６を噴射させるにあたっては、操作ペダル９の操作部分９ｂを足で蹴る等して操作ペダル９を下方に向かって押し込むことで行う。操作ペダル９の操作部分９ｂを足で蹴ると、操作ペダル９が支持軸９ａを介して回動、操作ペダル９を持ち上げていた噴射ノズル１０がこれに合わせて下方に押し込まれる。噴射ノズル１０が押し込まれると、噴射ノズル１０に装着されたステム５ｂも下方に押し込まれることとなり、エアゾールバルブ４が開いて、噴射ノズル１０の噴孔１０ｃから内容物６が噴射される。操作ペダル９から足を離すと、ステム５ｂを付勢するスプリングの弾力でステム５ｂが持ち上がり、内容物６の噴射動作が終わる。また、これに伴い噴射ノズル１０や操作ペダル９も元の位置に戻る。なお、ステム５ｂを付勢するスプリングの他に、操作ペダル９の押し込みに反する弾性体を別途設ければ、操作ペダル９の戻りが早くなる。
【００２９】
上記構成の噴射容器１は、図１や図３ａに示すように、側平面部８ｃを部屋の壁面Ｗに当接（面接触）させた状態で用いる。側平面部８ｃ側を前側、操作ペダル９の操作部分９ｃ側を後側とした場合、使用者は、操作ペダル９の操作部分９ｃを前側に押し出すようにして蹴る（操作する）ことから、噴射容器１には鉛直分力に加えて、操作ペダル９の中心
線（図３ａに示す一点鎖線）Ｃと略平行な水平分力が作用することとなる。そのため、何ら支持していなければ噴射容器１は前方へ移動しようとするが、ここで、水平分力の方向を示す仮想線（図３ａにおいて破線）Ｉが、平面視、側平面部８ｃと壁面Ｗとの当接面上に位置する（交差する）、好ましくは側平面部８ｃと略直交するようにして噴射容器１を設置すれば、その移動は規制される。また、壁面Ｗに対して面で当接させることで、操作ペダル９の中心線Ｃから多少ずれた箇所を蹴ったとしても不安定になることはなく、噴射容器１の移動や転倒を効果的に抑制することができる。
【００３０】
また、カバー部８が言わばスペーサとして機能し、壁面Ｗから噴射ノズル１０までの距離が常に一定に保たれることから、噴射容器１を壁面Ｗに近づけすぎて内容物６が壁面Ｗにかかってしまうといったことを抑制することができる。
【００３１】
さらに、「細長の噴射孔」が、側平面部８ｃと略平行となるように設けられていることから、噴射された内容物６が構成する面と壁面Ｗとが略平行となり、勢い良く内容物６を噴射させても、壁面Ｗや使用者に内容物６がかかるのを抑制することができる。そのため、噴射された内容物６が壁面Ｗに衝突して跳ね返ったり、意図した箇所まで内容物６が行き届かないといった問題を抑制することができ、内容物６の効能、効果を十分に発揮させることができる。
【００３２】
なお、内容物６によっては、壁面Ｗ等に付着させることによって効能、効果を長期間持続させるといった使い方も想定される。このような場合、例えば、噴射ノズル１０の側壁１０ｄを壁面Ｗ側に向けるか、噴射ノズル１０そのものを壁面Ｗ側に傾ければ良いが、内容物６は、壁面Ｗに対して平面視略平行に噴射されることから、内容物６を、壁面Ｗに対して広範囲に且つ満遍なく付着させることができ、好適である。
【００３３】
次に、本発明の異なる実施形態について説明する。図５から図７は、本発明の異なる実施形態の噴射容器１Ａを示している。図７ａに示すように、本実施形態の噴射容器１Ａは、側平面部８ｃが２面設けられている点で、先の実施形態とは相違している。
【００３４】
（当接手段）
具体的に説明すると、上底部８ａは、円の一部から三角形を前側（図７ａにおいて左側）に突出させた平面形状を有しており、この突出部分に設けられた側壁部８ｂがそれぞれ側平面部８ｃ、８ｃとなっている。なお、この２枚の側平面部８ｃ、８ｃは略直交しており、部屋の隅角部を構成する２枚の壁面Ｗ、Ｗにそれぞれ面接触可能となっている。また、図７ｂに示すように、噴射ノズル１０Ａの溝部１０ａが、２枚の側平面部８ｃ、８ｃと略平行になるように設けられており、「細長の噴射孔」が平面視、略Ｌ字状となっている。そのため、噴射容器１Ａを部屋の隅角部に設置した場合、それぞれの壁面Ｗ、Ｗと略平行に内容物６が面状に噴射されるようになっている。
【００３５】
さらに、操作ペダル９Ａは、略直交する２枚の側平面部８ｃ、８ｃの中心線上に、自身の中心線Ｃを重ねるようにして設けられている。そのため、操作ペダル９Ａを操作するにあたって生じる水平分力が、この水平分力の方向に突出するようにして設けられた側平面部８ｃ、８ｃを介して２枚の壁面Ｗ、Ｗにそれぞれ伝達されるようになっている。また、操作ペダル９Ａは、先の実施形態の操作ペダル９に比べて、操作部分９ｂが幅広に形成されており、操作ペダル９Ａの中心線Ｃに対して斜めから踏み込む（操作する）ことが可能となっている。このように構成しても、水平分力の方向を示す仮想線（図７ａにおいて破線）Ｉが、平面視、側平面部８ｃと壁面Ｗとの当接面上又は当接点Ｐ１、Ｐ２間に位置していれば、水平分力が側平面部８ｃを介して壁面Ｗに無理なく伝達されるため、噴射容器１Ａの移動や転倒は抑制される。なお、水平分力の全てを壁面Ｗに伝えることができれば、側平面部８ｃをそれぞれの壁面Ｗ、Ｗと点で当接する突起としても良い。
【００３６】
図８は、本発明のさらに異なる実施形態を示している。この実施形態における噴射容器１Ｂは、当接手段として、側平面部８ｃの代わりに、水平分力の方向を示す仮想線Ｉを挟むようにして２個の突起８ｅを設けている点で上記実施形態とは相違している。突起８ｅは、平面視、吐出容器２よりも外方に突出しているため、カバー部８と壁面Ｗとの当接は、突起８ｅを介して行われることになるが、平面視では、突起８ｅ、８ｅ間に仮想の側平面が形成されたものと同視し得る状況となる。なお、仮想の側平面を図示するならば、当接点Ｐ１、Ｐ２を結ぶ仮想線Ｊ（図８において破線）がそれに相当する。また、突起８ｅと壁面Ｗとの当接点Ｐ１、Ｐ２間に、水平分力を示す仮想線（図８において破線）Ｉが位置していれば、平面視、面接触したのと同視し得る状況となって、本発明でいう側平面として作用し、上記実施形態と同様の作用効果を得ることができる。なお、２個の突起８ｅは、それぞれ吐出容器２の中心部から等距離の位置に設けられている。また、図に示す通り、突起８ｅ、８ｅ同士が鉛直方向に重なり合わないように水平方向に互いにずれて（間隔をあけて）設けられている。当接点Ｐ１、Ｐ２を結ぶ仮想線Ｊと水平分力の方向を示す仮想線Ｉとは平面視略直交していることが好ましい。また、例えば突起８ｅが上下方向に連続して形成されていれば、平面視に加えて側面視も面接触と同視し得る状況となる（仮想の側平面が形成される）ことから、より安定性が増すこととなる。「細長の噴射孔」については、突起８ｅ、８ｅ同士を結ぶ仮想線Ｊと略平行に設けることで、上記実施形態と同様の作用効果を奏する。
【００３７】
以上に、この発明の代表的な実施形態について説明したが、この発明は上記実施形態に限定されるものではなく、この発明の範囲内で種々変更して実施することが可能である。例えば、上記実施形態では、吐出容器２として加圧剤によって内容物６を噴射させるエアゾール容器を採用しているが、ポンプにより内容物６を噴出させる容器を採用することもできる。また、吐出容器２の形状としても、円筒状に限らず、角柱状等、種々の形状としても良い。
【００３８】
また、上記実施形態では、噴射容器１、１Ａ、１Ｂを床面に設置して足で操作することを前提に説明したが、棚の上や窓台等に設置して手で操作するようにしても良い。この場合であっても、側平面部８ｃや突起８ｅを垂直面に当接させることで、操作時の移動や転倒を抑制することができる。また、側平面部８ｃは平面とされていたが、部屋の壁面Ｗの形状に沿うように適宜その形状を変更させても良い。例えば、側平面部８ｃを波状にして複数の凸面の先端部が壁面Ｗと当接するようにしても良く、また、部屋の隅角部を構成する壁面Ｗ、Ｗが直交していなければ、それに合わせて側平面部８ｃ、８ｃも直交させなくても良い。突起８ｅについても同様で、壁面Ｗの状況に合わせて適宜突出長さを変えるようにしても良い。なお、壁面Ｗと当接手段とが略平行とならない場合には、「細長の噴射孔」を壁面Ｗと略平行に設けることが好ましい。突起８ｅは２個で当接手段としての機能を達し得るが、３個以上設けても構わない。なお、この場合、同一平面状に設けるようにすることが好ましい。
【符号の説明】
【００３９】
１、１Ａ、１Ｂ・・噴射容器
２・・吐出容器
３・・容器本体
４・・エアゾールバルブ
５・・マウンティングカップ
５ａ・・バルブハウジング
５ｂ・・ステム
６・・内容物
７・・噴射部材
８・・カバー部
８ａ・・上底部
８ｂ・・側壁部
８ｃ・・側平面部
８ｄ・・切欠（孔）
８ｅ・・突起
９、９Ａ・・操作部（操作ペダル）
９ａ・・支持軸
９ｂ・・操作部分
９ｃ・・滑り止め
９ｄ・・孔部
１０、１０Ａ・・噴射ノズル
１０ａ・・溝部（スリット）
１０ｂ・・底面
１０ｃ・・噴孔
１０ｄ・・制御手段（側壁）
１０ｅ・・突出片
Ｃ・・操作部の中心線
Ｉ・・水平分力を示す仮想線
Ｊ・・突起同士を結ぶ仮想線
Ｐ１、Ｐ２・・カバー部と壁面との当接点
Ｗ・・部屋の壁面
【図１】
0006722425.tif 000002
【図２】
0006722425.tif 000003
【図３】
0006722425.tif 000004
【図４】
0006722425.tif 000005
【図５】
0006722425.tif 000006
【図６】
0006722425.tif 000007
【図７】
0006722425.tif 000008
【図８】
0006722425.tif 000009